(57)【要約】      （修正有）【課題】左官コテの刃を保護して、傷がつくことを防止することができ、誤って左官コテを落とした場合にも、左官コテの刃を保護して、傷がつくことを防止することができる左官コテガード装置を提供する。【解決手段】左官コテＫを取り出し可能に収容するものであり、左官コテＫのコテ面Ｋ１よりも大きい平面形状を有する第１板部材Ｃ１と、第１板部材Ｃ１と同じ外形を有すると共に、左官コテＫの柱脚部材Ｋ２を挿通可能なスリットＣ２１を有する第２板部材Ｃ２と、第１板部材Ｃ１と第２板部材Ｃ２の辺縁部同士を連結する連結部材Ｃ３を有している。【選択図】図２
0003158577.tif 000002
【実用新案登録請求の範囲】
【請求項１】
左官コテ（Ｋ）は左官コテケース（Ｃ）に取り出し可能に収容されてあり、左官コテケース（Ｃ）は、コテ面（Ｋ１）よりも大きい平面形状を有する第１板部材（Ｃ１）と、第１板部材（Ｃ１）と同じ外形を有すると共に、左官コテ（Ｋ）の柱脚部材（Ｋ２）を挿通可能なスリット（Ｃ２１）を有する第２板部材（Ｃ２）と、第１板部材（Ｃ１）と第２板部材（Ｃ２）の辺縁部同士を連結する連結部材（Ｃ３）を有していることを特徴とする左官コテガード装置。
【請求項２】
連結部材（Ｃ３）は、厚さが１ｍｍの両面テープであることを特徴とする請求項１に記載の左官コテガード装置。
【請求項３】
左官コテ道具箱（Ｄ）の内部に仕切り板（Ｄ２）を収容してあり、仕切り板（Ｄ２）には、左官コテケース（Ｃ）に収容された左官コテ（Ｋ）の挿通、位置決めのためのコテ刺（Ｄ２３）が設けてあることを特徴とする請求項１または請求項２に記載の左官コテガード装置。
【考案の詳細な説明】
【技術分野】
【０００１】
本考案は、左官コテの刃に傷がつくことを防止するための左官コテガード装置に関する。
【背景技術】
【０００２】
従来から、左官コテを収納する左官コテ道具箱として、特許文献１に記載されたものが提案されている。
特許文献１に記載された左官コテ道具箱は、道具箱内側に沿わせて壁板（切り込みを有する板）を立て、各切り込みに、左官コテの収納に必要な水平空間を確保する区画間仕切り板および左官コテを支持する支持間仕切り板を差し込んで設置したものである。
この構成の左官コテ道具箱によれば、多数の左官コテを一度に持ち運ぶことが可能となるため、従来品のようなその都度作業に応じた左官コテの入れ替え作業がなくなることによって、当該作業に必要なコテの入れ忘れがなくなるとともに、左官コテの分別収納が可能となることによって、すべての収納左官コテを整理でき、かつ一目で見渡すことができる構造であるため、作業中に必要な左官コテをスムーズに取り出すことができるだけでなく、作業終了後の左官コテの収納も容易になる、と記載されている。
しかし、収納する左官コテの数を増加させると、区画間仕切り板で仕切られた空間に収納された左官コテ同士がぶつかるおそれはないが、同じ支持間仕切り板に支持された左官コテ同士がぶつかるおそれがある。
そして、左官コテ同士がぶつかると、刃を傷つけてしまうという不都合がある。
左官コテの刃に傷が付いてしまうと、仕上げ面に、傷に起因するすじが付いてしまい、仕上げ面の品質が悪くなってしまう。
専用の左官コテ道具箱に収納した場合であっても、左官コテ同士がぶつかると、刃を傷つけてしまうおそれがあるのであるから、一般の道具箱に入れておくと、左官コテ同士がぶつかるだけでなく、左官コテが他の道具とぶつかるおそれがあり、刃を傷つけてしまう可能性が著しく高くなってしまう。
また、区画間仕切り板と支持間仕切り板が必要であり、しかも、区画間仕切り板と支持間仕切り板の配列順序を正確に設定することが必要であるから、構成が複雑化するだけでなく、両間仕切り板を配列するに当たって特別な配慮が必要になる。
【０００３】
また、左官コテの包装陳列具（特許文献２参照）、及び左官コテの陳列用包装台紙（特許文献３参照）が提案されている。
特許文献２に記載されたもの、特許文献３に記載されたものは、何れも陳列用の包装体であるから、販売するまでは左官コテを包装体で保護していることになる。
しかし、購買後においては、包装体を破棄することが一般的であるから、道具箱に入れておくことによって、左官コテ同士がぶつかるだけでなく、左官コテが他の道具をぶつかるおそれがあり、刃を傷つけてしまう可能性が著しく高くなってしまう。
【先行技術文献】
【特許文献】
【０００４】
【特許文献１】実用新案登録第３１２８７１７号公報
【特許文献２】特開２００５−２８９４２８号公報
【特許文献３】実用新案登録第３１１４５６２号公報
【考案の概要】
【考案が解決しようとする課題】
【０００５】
本考案が解決しようとする課題は、以下の通りである。
○本考案が解決しようとする第１課題
左官コテの刃を保護して、傷がつくことを防止することができる左官コテガード装置を提供することである。
○本考案が解決しようとする第２課題
誤って左官コテを落とした場合にも、左官コテの刃を保護して、傷がつくことを防止することができる左官コテガード装置を提供することである。
【課題を解決するための手段】
【０００６】
課題を解決するための手段は、本願の[実用新案登録請求の範囲]の各請求項に記載された考案である。
実用新案登録請求の範囲、明細書、図面等の用語の解釈上の疑義を解消すべく、以下、用語の説明を行うこととする。
＜用語の説明＞
○左官コテとは、壁や床にセメント、モルタル、漆喰、珪藻土等の塗材を塗りつける工具であり、先端部等に刃が形成されている。
○左官コテケースとは、１つの左官コテを取り外し可能に収容するケースである。
○コテ面とは、塗材に接触して、塗材の表面を仕上げるための平坦面である。
○柱脚とは、コテ面部材と取手部材とを連結するための部材である。
○左官コテ道具箱とは、左官コテを収容するための専用の道具箱である。
【０００７】
本考案者は、上記の従来技術が有する各種の問題点に鑑み、鋭意研究を重ねて、本考案を完成した。
本考案者が、本考案が解決しようとする課題の重要性に気付く契機となったのは、従来技術の問題点を生じる最大の原因が、左官コテが他の左官コテもしくは他の工具とぶつかって刃に傷がついてしまうことを防止する必要があることに気付いていなかったことである。
本考案者は、左官コテ道具箱に多数の左官コテを収容した場合、一般の道具箱に左官コテを収容した場合、の何れの場合にも、左官コテが他の左官コテもしくは他の工具とぶつかって刃に傷がついてしまうことを防止することができるものはないかと種々検討・模索を重ねて本考案を完成した。
課題を解決するための手段は、本願の実用新案登録請求の範囲の各請求項に記載の考案であり、その具体的な解決手段は、以下の通りである。
【０００８】
○第１の考案（請求項１に記載の考案）
上記の課題を解決するための第１の考案（請求項１に記載の考案）は、
左官コテは左官コテケースに取り出し可能に収容されてあり、左官コテケースは、コテ面よりも大きい平面形状を有する第１板部材と、第１板部材と同じ外形を有すると共に、左官コテの柱脚部材を挿通可能なスリットを有する第２板部材と、第１板部材と第２板部材の辺縁部同士を連結する連結部材を有していることを特徴とする左官コテガード装置である。
○第２の考案（請求項２に記載の考案）
上記の課題を解決するための第２の考案（請求項２に記載の考案）は、
連結部材は、厚さが１ｍｍの両面テープであることを特徴とする請求項１に記載の左官コテガード装置である。
○第３の考案（請求項３に記載の考案）
上記の課題を解決するための第３の考案（請求項３に記載の考案）は、
左官コテ道具箱の内部に仕切り板を収容してあり、仕切り板には、左官コテケースに収容された左官コテの挿通、位置決めのためのコテ刺が設けてあることを特徴とする請求項１または請求項２に記載の左官コテガード装置である。
【考案の効果】
【０００９】
○第１の考案の効果
第１の考案によれば、
左官コテは左官コテケースに取り出し可能に収容されてあり、左官コテケースは、コテ面よりも大きい平面形状を有する第１板部材と、第１板部材と同じ外形を有すると共に、左官コテの柱脚部材を挿通可能なスリットを有する第２板部材と、第１板部材と第２板部材の辺縁部同士を連結する連結部材を有している
という特徴的な構成要件により、
左官コテの刃を保護して、傷がつくことを防止することができ、しかも、誤って左官コテを落とした場合にも、左官コテの刃を保護して、傷がつくことを防止することができる左官コテガード装置を提供することができた。
すなわち、本考案が解決しようとする第１課題、第２課題を達成することができ、当業者予測不可能な顕著な効果を奏することができた。
○第２の考案の効果
第２の考案によれば、
連結部材は、厚さが１ｍｍの両面テープである
という特徴的な構成要件により、
左官コテの刃を効果的に保護できる左官コテケースを有する左官コテガード装置を提供することができた。
すなわち、本考案が解決しようとする第１課題、第２課題を達成することができ、当業者予測不可能な顕著な効果を奏することができた。
○第３の考案の効果
第３の考案によれば、
左官コテ道具箱の内部に仕切り板を収容してあり、仕切り板には、左官コテケースに収容された左官コテの挿通、位置決めのためのコテ刺が設けてある
という特徴的な構成要件により、左官コテケースに収容された左官コテを左官コテ道具箱に整然と収容することができる。そして、収容する左官コテの数が増加した場合であっても、左官コテの刃を保護して、傷がつくことを防止することができる左官コテガード装置を提供することができた。
すなわち、本考案が解決しようとする第１課題を達成することができ、当業者予測不可能な顕著な効果を奏することができた。
【図面の簡単な説明】
【００１０】
【図１】左官コテケースの一実施形態を示す概略分解斜視図である。
【図２】図１の左官コテケースに左官コテを収容した状態を示す概略斜視図である。
【図３】左官コテ道具箱の一実施形態を示す概略斜視図である。
【考案を実施するための形態】
【００１１】
以下、添付図面を参照して、本考案の左官コテガード装置の実施の形態を詳細に説明する。
第１の考案の左官コテガード装置は、
左官コテは左官コテケースに取り出し可能に収容されてあり、左官コテケースは、コテ面よりも大きい平面形状を有する第１板部材と、第１板部材と同じ外形を有すると共に、左官コテの柱脚部材を挿通可能なスリットを有する第２板部材と、第１板部材と第２板部材の辺縁部同士を連結する連結部材を有していることを特徴としている。
第２の考案の左官コテガード装置は、
連結部材は、厚さが１ｍｍの両面テープであることを特徴としている。
第３の考案の左官コテガード装置は、
左官コテ道具箱の内部に仕切り板を収容してあり、仕切り板には、左官コテケースに収容された左官コテの挿通、位置決めのためのコテ刺が設けてあることを特徴としている。
【００１２】
[図１]は、左官コテケースの一実施形態を示す概略分解斜視図である。
[図２]は、図１の左官コテケースに左官コテを収容した状態を示す概略斜視図である。
この左官コテケースＣは、左官コテＫを取り出し可能に収容するものであり、左官コテＫのコテ面Ｋ１よりも大きい平面形状を有する第１板部材Ｃ１と、第１板部材Ｃ１と同じ外形を有すると共に、左官コテＫの柱脚部材Ｋ２を挿通可能なスリットＣ２１を有する第２板部材Ｃ２と、第１板部材Ｃ１と第２板部材Ｃ２の辺縁部同士を連結する連結部材Ｃ３を有していることを特徴としている。
ここで、第１板部材Ｃ１及び第２板部材Ｃ２の厚みは、左官コテＫを十分に保護できる厚みに設定すればよく、例えば、９ｍｍに設定される。また、第１板部材Ｃ１及び第２板部材Ｃ２の平面形状は、例えば、左官コテＫのコテ面Ｋ１の平面サイズが３３０ｍｍ×１００ｍｍである場合に、３５０ｍｍ×１２０ｍｍに設定される。
そして、スリットＣ２１の幅、及び長さは、左官コテＫの柱脚部材Ｋ２の幅、及び取り付け位置に応じて設定すればよいが、柱脚部材Ｋ２の幅のばらつき、及び取り付け位置のばらつきを考慮して設定することが好ましく、コテ面の平面サイズが同じ左官コテが複数種類存在する場合であっても、左官コテケースＣを共通化して、コストダウンを達成することができる。
また、連結部材Ｃ３の厚みは、第１板部材Ｃ１と第２板部材Ｃ２との間に左官コテＫのコテ板をフィットした状態で収容できる厚みに設定すればよく、例えば、１ｍｍに設定される。また、連結部材Ｃ３の材質としては、どのようなものであってもよいが、連結作業の容易さ、コストの安さ等を考慮すれば、両面テープであることが好ましい。
図２に示すように、左官コテＫを左官コテケースＣに収容しておけば、左官コテＫのコテ板の刃が他の左官コテ、他の工具等にぶつかってしまうことを未然に防止することができる。この結果、刃が傷つくことを防止し、左官コテＫによる仕上げ面の品質の低下を防止することができる。
また、誤って左官コテＫを落としてしまった場合であっても、左官コテＫのコテ板の刃が床面等に衝突してしまうことを未然に防止することができる。この結果、刃が傷つくことを防止し、左官コテＫによる仕上げ面の品質の低下を防止することができる。
【００１３】
[図３]は、左官コテ道具箱の一実施形態を示す概略斜視図である。
この左官コテ道具箱Ｄは、互いに対向する側壁内面に上下方向に延びる複数本のスリットＤ１１を形成してなる本体Ｄ１と、互いに対向する１対のスリットＤ１１に対して抜き取り可能に装着される仕切り板Ｄ２と、本体Ｄ１の上部開口を取り外し可能に覆う蓋Ｄ３とを有している。
仕切り板Ｄ２は、上部が水平に延びるように折り曲げ状に形成され、水平に延びる部分Ｄ２１の先端縁に、上向きに延びる部分Ｄ２２が形成され、上向きに延びる部分Ｄ２２に、所定間隔毎に左官コテＫの柱脚部材Ｋ２を挿通するためのコテ刺Ｄ２３が形成されてなるものである。なお、水平に延びる部分Ｄ２１及び上向きに延びる部分Ｄ２２の幅は、スリットＤ１１に対して装着される部分の幅よりも、スリットＤ１１の深さ分だけ小さい幅に設定されている。
上記の構成の左官コテ道具箱Ｄを採用した場合には、左官コテケースＣに収容された左官コテＫを、柱脚部材Ｋ２をコテ刺Ｄ２３に挿通し、水平に延びる部分Ｄ２１に支持させた状態で、安定に収容することができる。
そして、収容する左官コテＫの数が多くなっても、左官コテＫ同士がぶつかることを未然に防止し、刃に傷がついてしまうという不都合を未然に防止することができる。
また、左官コテ道具箱Ｄの内部に左官コテＫが整然と収容されているので、一目で必要な左官コテＫを発見することができ、かつ、スムーズに取り出すことができる。
【符号の説明】
【００１４】
Ｃ      左官コテケース
Ｃ１    第１板部材
Ｃ２    第２板部材
Ｃ２１  スリット
Ｃ３    連結部材
Ｋ      左官コテ
Ｋ１    コテ面
Ｋ２    柱脚部材
Ｄ      左官コテ道具箱
Ｄ１    本体
Ｄ１１  スリット
Ｄ２    仕切り板
Ｄ２１  水平に延びる部分
Ｄ２２  上向きに延びる部分
Ｄ２３  コテ刺
Ｄ３    蓋
【図１】
0003158577.tif 000003
【図２】
0003158577.tif 000004
【図３】
0003158577.tif 000005